(57)【要約】【課題】  水田の水位調整作業が簡単かつ容易で、水位調整を正確に、しかもきめ細かく行うことができる。また、漏洩による水田の水位の低下がないので監視の負担が少ない水田水位調整装置を提供する。【解決手段】  水田の落ち口桝１１に挿脱可能に挿嵌する堰板１は、下側に通水口が形成してある。堰板１には通水口に連通して上端が開口した固定管５が設けてある。固定管５には上部が流入口６Ａになり、外周に雄ねじ６Ｃが形成してある中空管からなる水位調整管６が挿嵌してある。水位調整管６は、回動操作することにより昇降して水田の水位を調整することができる。【選択図】  図１
0003116842.tif 000002
【実用新案登録請求の範囲】
【請求項１】
下側に通水口を有し、水田の落ち口桝に設ける堰板と、前記通水口に連通して該堰板に設けられ、上端が開口した固定管と、上部に流入口を有する中空管からなり、該固定管に挿嵌した状態で回動することにより昇降自在な水位調整管とから構成してなる水田水位調節装置。
【請求項２】
前記堰板は、前記落ち口桝に挿脱可能に挿設してあることを特徴とする請求項１記載の水田水位調整装置。
【請求項３】
前記堰板と落ち口枡との間には、水の漏洩を防止するシーリング部材を設けてあることを特徴とする請求項２記載の水田水位調整装置。
【請求項４】
前記固定管と水位調整管の間には、シール材を介装してあることを特徴とする請求項１記載の水田水位調整装置。
【請求項５】
前記水位調整管には、回動操作部材を設けてあることを特徴とする請求項１記載の水田水位調整装置。
【請求項６】
前記堰板又は水位調整管には、該水位調整管の流入口高さを表示する高さ表示目盛を設けてあることを特徴とする請求項１記載の水田水位調整装置。
【考案の詳細な説明】
【技術分野】
【０００１】
本考案は、水田の水位を簡単な操作で高い精度の調整することができる水田水位調整装置に関する。
【背景技術】
【０００２】
水田における水の管理は稲作作業において極めて重要であり、稲の生育状態や気象の変化、特に温度変化、降雨量等に応じて水田の水位を最適に調整する必要がある。そこで、従来は水田の排水口に埋設した落ち口桝や土盛りの排水口に、平板や円筒からなる水位調整体を昇降可能に設けたものが用いられている。
【０００３】
また、水田の水位を調節する排水管において、排水管は田面に形成する排水口に取り付けられる高さ方向に伸縮可能なフレキシブル管と、フレキシブル管の下部に連設して排水溝に連通する接続管とを具備した排水管が知られている（特許文献１）。
【特許文献１】特開平１１−１３１４５８号公報
【考案の開示】
【考案が解決しようとする課題】
【０００４】
上述した従来の水位調整方法は水位調整体を単に上下動させる構成であるため、きめ細かい正確な水位調整ができないという欠点、水の漏洩に対処していないため、水位監視を頻繁に行う必要があり農家の負担になっているという欠点、落ち口桝と水位調整体の間に泥が詰まり易く操作に大きな力を必要とする欠点がある。
【０００５】
また、フレキシブル管を用いた排水管は、フレキシブル性を有する素材を用いる必要から、耐水圧性、耐久性、耐候性に欠けるという問題点がある
【０００６】
本考案は上述した従来技術の欠点や未解決の問題点に鑑みなされたもので、水位の管理を極め細かく行うことができるし、水位調整管を回動操作するだけであるから調整作業が簡単かつ容易で、正確な水位調整を行うことができ、しかも強度性を有すると共に漏洩により水位が低下することがない水田水位調整装置を提供することを目的とする。
【課題を解決するための手段】
【０００７】
上述した課題を解決するために構成された本考案の手段は、下側に通水口を有し、水田の落ち口桝に設ける堰板と、前記通水口に連通して該堰板に設けられ、上端が開口した固定管と、上部に流入口を有する中空管からなり、該固定管に挿嵌した状態で回動することにより昇降自在な水位調整管とからなる。
【０００８】
そして、前記堰板は、前記落ち口桝に挿脱可能に挿設するとよい。
【０００９】
そして、前記堰板と落ち口枡との間には、水の漏洩を防止するシーリング部材を設けるとよい。
【００１０】
また、前記固定管と水位調整管の間には、シール材を介装するとよい。
【００１１】
更に、前記水位調整管には、回動操作部材を設けるとよい。
【００１２】
また、前記堰板又は水位調整管には、該水位調整管の流入口高さを表示する高さ表示目盛を設けるとよい。
【考案の効果】
【００１３】
本考案は上述の如く構成したから、下記の諸効果を奏する。
（１）堰板に設けた固定管に水位調整管を昇降可能に挿嵌してあるから、水位の管理を極め細かく行うことができる。
（２）水位の調整は水位調整管を回動操作するだけで行うことができるから、調整作業が簡単で容易であるし、正確な水位調整を行うことができる。
（３）水田水位調整装置は、落ち口桝に挿脱可能に設けてあるから、速やかに排水する事態に対応できる。
（４）堰板と落ち口枡との間には、水の漏洩を防止するシーリング部材を設けてあるから、調整した水位が漏洩によって低下する事態を防止できる。従って、水位の監視を頻繁に行う必要がない。
（５）固定管と水位調整管の間にはシール材を介装してあるから、管の隙間から水が漏洩する事態を防止できる。
（６）水位調整管には回動操作部材を設けてあるから、水位調整管の回動操作性に優れているし、正確な水位調整ができる。
（７）堰板又は水位調整管には、水位調整管の流入口高さを表示する高さ表示目盛を設けてあるから、正確な水位調整ができる。
【考案を実施するための最良の形態】
【００１４】
以下、本考案の実施の形態を図面に基づき詳述する。図において、１は後述する落ち口桝１１に挿脱可能に挿嵌する合成樹脂製、例えば塩化ビニル製の堰板を示す。該堰板１は縦長長方形の平板からなり、下端側１Ａには前記落ち口桝１１側に開口する通水口２、上端側１Ｂには挿脱する際の手掛かり穴３が夫々設けてあり、裏面１Ｃには幅方向両端と下端に沿ってシーリング部材４が略凵状に貼着してある。
【００１５】
５は前記堰板１の前面１Ｄに設けた固定管で、該固定管５は前記通水口２に連通して堰板１に固着したエルボ５Ａと、上端が開口し、該エルボ５Ａに連結されて上方に突出する外管５Ｂと、該外管５Ｂの内周面に突設したねじガイド５Ｃとから構成してある。
【００１６】
６は前記固定管５に回動可能に挿嵌した水位調整管を示す。該水位調整管６は上端開口が流入口６Ａになり、下端開口６Ｂ（図示せず。）は固定管５内に連通し、外周面には前記ねじガイド５Ｃが摺動可能に係合する雄ねじ６Ｃが形成してある中空管からなっており、上端側には水位調整管６を回動操作するための略冂字状のハンドル７が取着してある。そして、本実施の形態では、水位調整管６の昇降幅、即ち流入口６Ａが上下して水位を調整する範囲を２１０ｍｍに設定してあるが、この値は設置する水田の規模に応じて異なるものである。また、水位調整管６と固定管５の外管５Ｂとの間には水の浸入を防止するためのＯリング８が介装してある。
【００１７】
９は堰板１の表面１Ｄに目視可能に設けた高さ表示目盛で、該高さ表示目盛９は、水位調整管６を所定の回転量、例えば１／４回転した場合の流入口６Ａの高さを単位として目盛ることにより、水位を極め細かく管理できるようにしてある。
【００１８】
本実施の形態に係る水田水位調整装置は上述の構成からなるが、次に、該装置を挿設する落ち口桝について説明する。該落ち口桝１１は水田の排水切り口に埋設して設置するものである。１２は該落ち口桝１１を構成する底板で、該底板１２の上面には堰板１の下端側が嵌入する受け溝１２Ａが形成してある。１３は底板１２の後縁に立設した後板で、該後板１３は水位調整管６の最大上昇高さよりも高い寸法に設定してあり、下端側には排水口１３Ａが形成してある。１４、１４は底板１２の左右両縁に立設した一対の側板を示す。該各側板１４は内面の幅方向中間に位置して縦方向に支持溝１４Ａが形成してあり、該支持溝１４Ａはシーリング部材４が貼着してある堰板１が密に嵌合する溝幅に設定してある。なお、落ち口桝１１は、例えば軽量コンクリートによって一体に成型してある。
【００１９】
水田水位調整装置は上述した構成の落ち口桝１１に挿設した状態で水田に配置し、水位調整管６を回動操作して昇降させ、上端の流入口６Ａを図５に示すように、所望の高さに位置させることによって、水田の水位Ｌの極め細かい調整を行うことができる。この際、高さ表示目盛９によって水位調整管６の高さを設定することにより、水位管理を正確に行うことができる。
【００２０】
また、水田水位調整装置は堰板１にシーリング部材４を設けることによって落ち口桝１１に液密に挿嵌し、固定管５と水位調整管６の間にはＯリング８を介装してあるから、水田の水が漏洩によって流出して水位が低下する事態を確実に防止できる。従って、水位監視を頻繁に行う必要がなく、農家の負担を軽減することができる。
【００２１】
しかも、水田水位調整装置は落ち口桝１１に挿脱可能に設けてあるから、増水時や早急に排水する必要がある場合には、落ち口桝１１から装置を抜き出すことによりこのような事態に対処することができる。
【００２２】
なお、高さ表示目盛９は堰板１に設けたが、水位調整管６に設けてもよい。
【００２３】
また、水田水位調整装置は落ち口桝１１に固定的に設ける構成にしてもよいものである。
【図面の簡単な説明】
【００２４】
【図１】本考案の実施の形態に係る水田水位調整装置を落ち口桝に設置した状態で一部を破断して示す斜視図である。
【図２】水田水位調整装置の正面図である。
【図３】水田水位調整装置の背面図である。
【図４】水田水位調整装置を落ち口桝に挿設した状態で一部を破断して示す側面図である。
【図５】水位調整管を降下させた状態の説明図である。
【符号の説明】
【００２５】
１        堰板
２        通水口
４        シーリング部材
５        固定管
６        水位調整管
６Ａ      流入口
６Ｃ      雄ねじ
７        ハンドル（回動操作部材）
８        Ｏリング
９        高さ表示目盛
１１      落ち口桝
【図１】
0003116842.tif 000003
【図２】
0003116842.tif 000004
【図３】
0003116842.tif 000005
【図４】
0003116842.tif 000006
【図５】
0003116842.tif 000007